(57)【要約】本発明によるビデは、赤ちゃんや患者に使用することができる。本発明のビデは、水を入れて噴射することができる洗浄容器と、洗浄支持台を含み、前記洗浄支持台が水を貯蔵することができる容器部と、前記容器部から突出して赤ちゃんまたは患者のお尻を支えるお尻支持部と、を含む。本発明のビデによれば、お尻支持部によって赤ちゃんの便を洗った水が赤ちゃんのお尻に再び触れることがなくなる。【選択図】      図１
2013508068.tif 000002
【特許請求の範囲】
【請求項１】
水を入れて噴射することができる洗浄容器と、
洗浄支持台を含み、
前記洗浄支持台は、
水を貯蔵することができる容器部と、
前記容器部から突出してお尻を支えるお尻支持部を含むビデ。
【請求項２】
前記容器部の側面に結合されて腰を支える腰支持部をさらに含む請求項１に記載のビデ。
【請求項３】
前記腰支持部は、外部に向かって下方に傾いていることを特徴とする請求項２に記載のビデ。
【請求項４】
前記腰支持部には腰支持部溝が設けられたことを特徴とする請求項３に記載のビデ。
【請求項５】
前記お尻支持部と前記腰支持部との間には容器溝が設けられたことを特徴とする請求項２に記載のビデ。
【請求項６】
前記お尻支持部の上部にはクッションパッドが結合されたことを特徴とする請求項１に記載のビデ。
【請求項７】
前記お尻支持部と前記容器部の内壁とは離隔することを特徴とする請求項１に記載のビデ。
【発明の詳細な説明】
【技術分野】
【０００１】
本発明は、排便後、赤ちゃん（新生児を含む）や患者のお尻を簡便に洗浄することができる手動方式のビデ（ｂｉｄｅｔ）に関する。
【背景技術】
【０００２】
赤ちゃんはおむつを着用する。さらに、赤ちゃんは一日３回以上排便する。赤ちゃんのお尻に付着した便はおむつを交換しながらウェットティッシュで拭き取る。しかし、ウェットティッシュで拭き取っても、便の残存物は赤ちゃんのお尻に残るようになる。特に、女の子の場合は、便の残存物が生殖器の周辺に残ることもある。このような便の残存物はお尻の発疹と尿路感染を起こすことがある。
清潔のために、赤ちゃんの母親は赤ちゃんのお尻を流れる水で洗う。しかし、母親が赤ちゃんを抱き上げて洗面台まで運ぶことは力を要する。赤ちゃんの体重は生後１００日が経つと７Ｋｇ程度にもなるからである。また、赤ちゃんを洗面台まで運ぶ途中に落とす恐れもある。
一方、使い捨てウェットティッシュは、環境汚染と資源の無駄遣いの原因になる。
このような問題は、挙動が不便な老弱者のお尻を拭くときにも発生する。特に、成人患者は重いため、洗面場まで運ぶことが大変である。
【発明の概要】
【発明が解決しようとする課題】
【０００３】
本発明は、赤ちゃんのお尻を洗浄することができるビデを提供することを目的とする。
また、本発明は、横になっている赤ちゃんのお尻を洗浄することができるビデを提供することを目的とする。
また、本発明は、赤ちゃんの腰を楽に支えるビデを提供することを目的とする。
また、本発明は、赤ちゃんのお尻に沿って流れる水が赤ちゃんの腰の方向に移動することを防止するビデを提供することを目的とする。
また、本発明は、噴射された水が容易に外部に流れないようにするビデを提供することを目的とする。
【課題を解決するための手段】
【０００４】
本発明によるビデは、水を入れて噴射することができる洗浄容器と、洗浄支持台を含み、前記洗浄支持台が水を貯蔵することができる容器部と、前記容器部から突出してお尻を支えるお尻支持部を含む。お尻支持部によって容器部に貯蔵された水（便を洗った水）が赤ちゃんのお尻に触れなくなる。
また、本発明によるビデは、前記容器部の側面に結合されて腰を支える腰支持部をさらに含むことができる。このような腰支持部は、赤ちゃんの腰を楽に支えることができる。
また、前記腰支持部は、外部に向かって下方に傾くことができる。腰支持部が斜めになることで、床に横になった赤ちゃんが楽になる。
また、腰支持部溝を前記腰支持部に形成することができる。腰支持部に流れ落ちた水は腰支持部溝に貯蔵される。したがって、母親が間違って洗浄容器に入った水を腰支持部に噴射しても水が外部に流れない。
また、前記お尻支持部と前記腰支持部との間には、容器溝を形成することができる。その結果、洗浄後の水が赤ちゃんのお尻に沿って腰の方向に移動できなくなる。
また、前記お尻支持部の上部にはクッションパッドを結合することができる。クッションパッドは赤ちゃんのお尻を楽に支える。
また、前記お尻支持部と前記容器部の内壁とは離隔することができる。お尻支持部と容器部の内壁とが離隔する場合、お尻支持部に流れ落ちた水が容器部から溢れて外部に流れ出ないようになる。
【発明の効果】
【０００５】
本発明に係るビデによれば、赤ちゃんを洗面台に運ぶことなく、赤ちゃんのお尻を洗浄することができる。
また、本発明に係るビデによれば、横になっている赤ちゃんのお尻を洗浄することができる。
また、本発明に係るビデによれば、横になっている赤ちゃんの腰を楽に支えることができる。
また、本発明に係るビデによれば、赤ちゃんのお尻に沿って流れる噴射水が腰の方向に移動することを防止することができる。
また、本発明に係るビデによれば、噴射された水が外部に流れ出ないようにすることができる。
【図面の簡単な説明】
【０００６】
【図１】本発明の一実施例によるビデの斜視図である。
【図２】本発明の一実施例によるビデの断面図である。
【図３】本発明の一実施例によるビデの使用例示図（側面図）である。
【図４】本発明の一実施例によるビデの使用例示図（断面図）である。
【発明を実施するための形態】
【０００７】
本発明によるビデは、水を入れて噴射することができる洗浄容器と、洗浄支持台を含み、前記洗浄支持台が水を貯蔵することができる容器部と、前記容器部から突出してお尻を支えるお尻支持部を含む。
以下、本発明の望ましい実施例を、添付図面を参照にしながら詳細に説明する。以下の説明は本発明が属する技術分野で通常の知識を持つ者が本発明を容易に実施できる程度に説明するためのものである。したがって、以下の説明が本発明の技術的思想を限定すると解釈されてはならない。
図１は本発明の一実施例によるビデの斜視図であり、図２は本発明の一実施例によるビデの断面図であり、図３は一実施例によるビデの使用例示図であり、図４は洗浄後の水が移動する様子を示す断面図である。
本発明によるビデ１００は、水を入れて噴射することができる洗浄容器１０と、洗浄支持台２０を含む。また、洗浄支持台２０は、水を貯蔵することができる容器部２１と、前記容器部２１から突出してお尻を支えるお尻支持部２３を含む。
洗浄支持台２０は、容器部２１及びお尻支持部２３を含む。洗浄支持台２０は、プラスチック材質で製造することができる。洗浄支持台２０は空気が注入されたチューブの形態でもあり得る。
容器部２１は、水を貯蔵することができる空間である。容器部２１は、底面及び底面を取り囲む側面壁でなるため、水を貯蔵することができる。
赤ちゃんのお尻を洗った水は、容器部２１に貯蔵される。お尻支持部２３は容器部２１から突出し、赤ちゃんのお尻を支える。
洗浄支持台２０を赤ちゃんの腰の下に挿入すれば、お尻支持部２３に赤ちゃんのお尻が上げられる。洗浄容器１０から噴射された水がお尻に付着した便を洗い流す。赤ちゃんのお尻を洗った水は容器部２１に貯蔵される。お尻支持部２３によって、赤ちゃんのお尻は容器部２１に溜まった水（赤ちゃんのお尻を洗った水）に触れなくなる。
お尻支持部２３は、本実施例のように容器部２１の底面から突出することもできる。また、お尻支持部２３は、容器部２１の側面壁を連結する構造物（網やパイプ）であり得る。お尻支持部２３は容器部２１の底面より上部に位置する構造物である。
洗浄支持台２０の側面には、腰支持部２２が結合されている。腰支持部２２は、容器部２１を基準に外部に向かって下方に傾いた形態である。図４に示したように、洗浄支持台２０を赤ちゃんの腰下に挿入する場合、腰支持部２２は赤ちゃんの腰を楽に支える。
腰支持部２２は、容器部２１の外壁と一体に結合することができる。
腰支持部２２には、腰支持部溝２４１が設けられる。腰支持部溝２４１は腰支持部２２に流れ落ちた水を貯蔵することができる。したがって、洗浄容器１０から噴射された水が腰支持部２２に落ちても、赤ちゃんの上着が濡れることはない。
容器部２１の底面が広い場合、多くの水を収容することができる。このときは、容器部２１の側面壁は低くても良い。したがって、場合によっては腰支持部２２を設けなくても良い。
お尻支持部２３と腰支持部２２との間には、容器溝２４２が設けられることができる。容器溝２４２は、洗浄容器１０から噴射された水がお尻に沿って腰支持部２２に移動することを防止する。容器溝２４２に落ちた水は容器部２１に移動することができる。容器溝２４２と容器部２１とは空間的に連結することができる。
お尻支持部２３の中心部に、お尻支持部溝２４３が設けられることができる。このようなお尻支持部溝２４３は、お尻に沿って流れる水が容器部２１に落ちるように障害物の役割をする。お尻支持部溝２４３にも水が貯蔵されることができる。
お尻支持部２３は、容器部２１の内壁と離隔することができる。すなわち、お尻支持部２３は容器部２１の底面から島状に突出することができる。お尻支持部２３は容器部２１から突出した面積が最小であることが良い。この場合、容器部２１は多くの水を貯蔵できるため望ましい。また、お尻支持部２３と容器部２１の内壁とが離隔する場合、お尻支持部２３に落ちた水が容器部２１の外部に流れることを防止することができる。洗浄後の水が容器部２１の外部に流れ出れば、それを再び掃除しなければならず煩わしい。
また、お尻支持部２３と容器部２１の内壁とが連結されることもできる。この場合、お尻支持部２３に斜面を設け、洗浄後の水が容器部２１に流れ込むようにすることもできる。
お尻支持部２３の上部に、柔らかい材質のクッションパッド（図示せず）を結合することができる。クッションパッド（図示せず）は赤ちゃんのお尻に加えられる衝撃を吸収する。腰支持部２２にもクッションパッドを結合することができる。
洗浄容器１０は、ポリエチレンやポリプロピレンなどの合成樹脂で製造することができる。洗浄容器１０は、水を入れられる水貯蔵部とノズルを含む。洗浄容器１０に水を入れて、手で握ると水が外部に噴射される。その後、手から力を抜けば、洗浄容器１０は元の状態に戻る。洗浄容器１０の先端にはノズルを取り付けることができる。ノズルは水が一直線に噴射されるようにする。
図３は、本実施例によるビデ１００の使用例示図（側面図）である。赤ちゃん１０００の上着を胸先まで上げ、洗浄支持台２０を用いて赤ちゃんの腰とお尻を支える。母親が洗浄容器１０の水を噴射して赤ちゃん１０００のお尻周辺を洗浄する。洗浄後の水は洗浄支持台２０に落ちて溜まる。母親は洗浄支持台２０に入った水をトイレに捨てることができる。
図４は、本実施例によるビデの使用例示図（断面図）である。洗浄後の水Ｗ（太線）が赤ちゃん１０００のお尻の裏に沿って流れる途中、お尻支持部２３とお尻支持部溝２４３から容器部２１に落ちることが分かる。また、容器溝２４２に洗浄後の水が落ちる場合は、容器部２１に移動することもできる。このように、お尻支持部２３、お尻支持部溝２４３、及び容器溝２４２によって洗浄後の水Ｗが外部に流れ出ることなく、容器部２１に貯蔵される。
以上では、赤ちゃんを対象にしてビデ１００の使い方を説明したが、患者にも同様の方法で使用することができる。
【産業上の利用可能性】
【０００８】
本発明によるビデは、乳児用品産業に利用することができる。また、本発明によるビデは患者の介護にも役に立つ。本発明のビデを使用すれば、使い捨てウェットティッシュを節約することができる。また、母親の関節（特に、手首）を保護することができる。さらに、赤ちゃんの転落事故を防止する。
【図１】
2013508068.tif 000003
【図２】
2013508068.tif 000004
【図３】
2013508068.tif 000005
【図４】
2013508068.tif 000006
【国際調査報告】
2013508068.tif 000007
2013508068.tif 000008
2013508068.tif 000009
2013508068.tif 000010